(57)【要約】【課題】太陽熱を利用して、建物屋根面に取付けたパネルで熱交換し温水に変え、建物の暖房に使用している。これは温水の温度を一旦、コンクリートに蓄積させ、時間をかけてゆっくり床面より放熱させるものである。しかしコンクリート床面にのみ熱を蓄えるので面積が限られ、送風用の装置及びダクトなどを配置しなければならないなどの問題がある。【解決手段】住宅などの建築物部の中央位置に、下部を地中に埋設した状態で暖冷房塔部を起立させ、土中からの一定の温度を暖冷房塔部内に充満させると共に蓄積し、それを壁より室内に放出させ、建物内の夏の冷房、冬期の暖房に使用することができるようにする。【選択図】　　　　図１
2004069271.tif 000002
【特許請求の範囲】
【請求項１】
住宅などの建築物部（２）と、住宅などの建築物部（２）内に配設された暖冷房塔部（３）から構成され、暖冷房塔部（３）は、暖冷房塔部本体（４）から構成され、暖冷房塔部本体（４）は、コンクリート、レンガ、コンクリートブロックまたは保温性の良い他の材料で構成された所定高さの角筒状体（４Ａ）と、角筒状体（４Ａ）の上端に連結密閉された逆Ｕ字状の太陽熱を受ける天井体（４Ｂ）から構成され、角筒状体（４Ａ）は下方の地中吸放熱部（４Ｃ）と上方の地上吸放熱部（４Ｄ）に分けられ、下方の地中吸放熱部（４Ｃ）は、地面（ＧＬ）より所定深さをもって地中に植設状態で埋設され、さらに、暖冷房塔部本体（４）における天井体（４Ｂ）は、住宅などの建築物部（２）における屋根（２Ｇ）あるいは陸屋根（２Ｈ）より外部に露出するよう構成され、上方の地上吸放熱部（４Ｄ）における部屋（２Ｄ）に対応する部屋対応部分（４Ｄ１）は、当該部屋対応部分の側面は住宅などの建築物部（２）の部屋（２Ｄ）に露出するよう構成され、天井体（４Ｂ）の表面には赤外線反射カバー部（１１）が開閉自在に設けられ、暖冷房塔部本体（４）内には当該暖冷房塔部本体における地上吸放熱部（４Ｄ）内の温度を一定にするよう構成することで、土中からの一定の温度を暖冷房塔部本体の中に充満させると共に蓄積し、それを壁より室内に放出させ、建物内の夏期の冷房と冬期の暖房に使用することを特徴とする暖冷房装置。
【請求項２】
住宅などの建築物部（２）と、住宅などの建築物部（２）内に配設された暖冷房塔部（３）から構成され、
住宅などの建築物部（２）は、基礎や床（２Ａ）などと外壁（２Ｂ）と間仕切り（２Ｃ）と部屋（２Ｄ）と天井（２Ｅ）と小屋裏（２Ｆ）と屋根（２Ｇ）などで構成され、
暖冷房塔部（３）は、暖冷房塔部本体（４）と上方シャッター部（５）と下方シャッター部（６）と上向き対流ファン（７）と下向き対流ファン（８）と　前方ヒーター（９）と後方ヒーター（１０）と赤外線反射カバー部（１１）と上方ガラスカバー部（１２）から構成され、
暖冷房塔部本体（４）は、全体が鉄筋コンクリートでなる前後面（４Ａ１、４Ａ１）と左右面（４Ａ２、４Ａ２）を平面左右に横長方形に連結した所定高さの角筒状体（４Ａ）と、角筒状体（４Ａ）の上端に連結密閉された逆Ｕ字状の天井体（４Ｂ）から構成され、角筒状体（４Ａ）は下方の地中吸放熱部（４Ｃ）と上方の地上吸放熱部（４Ｄ）に分けられ、下方の地中吸放熱部（４Ｃ）は、地面（ＧＬ）より所定深さをもって地中に植設状態で埋設され、さらに、暖冷房塔部本体（４）における天井体（４Ｂ）は、住宅などの建築物部（２）における屋根（２Ｇ）あるいは陸屋根（２Ｈ）より外部に露出するよう構成され、上方の地上吸放熱部（４Ｄ）における部屋（２Ｄ）に対応する部屋対応部分（４Ｄ１）は、当該部屋対応部分の側面は部屋（２Ｄ）に露出するよう構成され、小屋裏（２Ｆ）に対応する小屋裏対応部分（４Ｄ２）は、当該小屋裏対応部分の側面は断熱材（４Ｄ２１）で処理され、
上方シャッター部（５）は、前方上シャッター（５Ａ）と後方上シャッター（５Ｂ）から構成され、これら前方上シャッター（５Ａ）と後方上シャッター（５Ｂ）は、暖冷房塔部本体（４）の角筒状体（４Ａ）における上端位置に沿って、前後方向に開閉自在の状態で取付けられ、
下方シャッター部（６）は、前方下シャッター（６Ａ）と後方下シャッター（６Ｂ）から構成され、これら前方下シャッター（６Ａ）と後方下シャッター（６Ｂ）は、暖冷房塔部本体（４）の角筒状体（４Ａ）における地面（ＧＬ）に沿って、前後方向に開閉自在の状態で取付けられ、
上向き対流ファン部（７）は、角筒状体（４Ａ）の上方の地上吸放熱部（４Ｄ）における後面（４Ａ１）の下方部分に左右方向をもって所定間隔で配設され、下向き対流ファン部（８）は、角筒状体（４Ａ）の上方の地上吸放熱部（４Ｄ）における前面（４Ａ１）の上方部分に左右方向をもって所定間隔で配設され、前方ヒーター（９）は、角筒状体（４Ａ）の上方の地上吸放熱部（４Ｄ）における前面（４Ａ１）に、上向き対流ファン部（７）より下方位置に左右方向をもって所定間隔で配設され、
後方ヒーター（１０）は、角筒状体（４Ａ）の上方の地上吸放熱部（４Ｄ）における後面（４Ａ１）に、上向き対流ファン部（７）より下方位置に左右方向をもって所定間隔で配設され、
赤外線反射カバー部（１１）は、赤外線反射シート（１１Ｄ）を開閉自在の状態で天井体（４Ｂ）に対して上方から覆う状態に構成され、
上方ガラスカバー部（１２）は、赤外線反射カバー部（１１）を上方から覆うよう構成された逆Ｕ字状のカバー本体（１２Ａ）と、カバー本体の左右端面に張設された側板（１２Ｂ）から構成されていることを特徴とする暖冷房装置。
【請求項３】
請求項２記載の暖冷房装置を用いて下記の工程から暖房を行うよう構成されていることを特徴とする暖冷房装置の使用方法。
上方シャッター部（５）を開き、下方シャッター部（６）を閉じ、赤外線反射カバー部（１１）を開き、上向き対流ファン（７）と下向き対流ファン（８）を作動させる。
【請求項４】
請求項２記載の暖冷房装置を用いて下記の工程から暖房を行うよう構成されていることを特徴とする暖冷房装置の使用方法。
上方シャッター部（５）を開き、下方シャッター部（６）を閉じ、赤外線反射カバー部（１１）を開き、上向き対流ファン（７）と下向き対流ファン（８）を作動させ、前方ヒーター（９）と後方ヒーター（１０）を作動させる。
【請求項５】
請求項２記載の暖冷房装置を用いて下記の工程から冷房を行うよう構成されていることを特徴とする暖冷房装置の使用方法。
上方シャッター部（５）を閉じ、下方シャッター部（６）を開き、赤外線反射カバー部（１１）を閉じ、上向き対流ファン（７）と下向き対流ファン（８）を作動させる。
【請求項６】
住宅などの建築物部（２）と、この住宅などの建築物部（２）内に配設された暖冷房塔部（３）と融雪槽部（１４）から構成され、
住宅などの建築物部（２）、暖冷房塔部（３）、暖冷房塔部本体（４）、上方シャッター部（５）、下方シャッター部（６）、上向き対流ファン（７）、下向き対流ファン（８）、前方ヒーター（９）、後方ヒーター（１０）、赤外線反射カバー部（１１）、上方ガラスカバー部（１２）の各構成は、請求項１記載の暖冷房装置における住宅などの建築物部（２）、暖冷房塔部（３）、暖冷房塔部本体（４）、上方シャッター部（５）、下方シャッター部（６）、上向き対流ファン（７）、下向き対流ファン（８）、前方ヒーター（９）、後方ヒーター（１０）、赤外線反射カバー部（１１）、上方ガラスカバー部（１２）と同一に構成され、
融雪槽部（１４）は、融雪槽本体（１４Ａ）と、連結横パイプ（１４Ｂ）と、第１対流ファン（１４Ｃ）と、第２対流ファン（１４Ｄ）から構成され、融雪槽本体（１４Ａ）は、底面（１４Ａ１）と、底面に起立連設された筒状側壁（１４Ａ２）と、筒状側壁の上面に張設された天板（１４Ａ３）と、天板に起立連設された筒状の投雪口（１４Ａ４）と、投雪口に開閉自在に取付けられた蓋（１４Ａ５）から構成されていると共に、当該融雪槽本体（１４Ａ）は住宅などの建築物部（２）の近傍に埋設され、連結横パイプ（１４Ｂ）は、融雪槽本体（１４Ａ）における筒状側壁（１４Ａ２）と、暖冷房塔部本体（４）における角筒状体（４Ａ）とを連通する状態で配設され、第１対流ファン（１４Ｃ）は、連結横パイプ（１４Ｂ）における角筒状体（４Ａ）との連結箇所に暖冷房塔部本体方向に向け取付けられ、第２対流ファン（１４Ｄ）は、連結横パイプ（１４Ｂ）における融雪槽本体（１４Ａ）との連結箇所に融雪槽本体方向に向け取付けられていることを特徴とする暖冷房装置。
【請求項７】
請求項６記載の暖冷房装置を用いて下記の工程から暖房と融雪を行うよう構成されていることを特徴とする暖冷房装置の使用方法。
融雪槽本体（１４Ａ）に融雪を所望する雪（ＳＷ）を投入し、蓋（１４Ａ５）を閉める。
上方シャッター部（５）を開き、下方シャッター部（６）を閉じ、赤外線反射カバー部（１１）を開き、上向き対流ファン（７）と下向き対流ファン（８）を作動させ、前方ヒーター（９）と後方ヒーター（１０）を作動させ、第１対流ファン（１４Ｃ）と第２対流ファン（１４Ｄ）を作動させる。
【請求項８】
請求項６記載の暖冷房装置を用いて下記の工程から冷房を行うよう構成されていることを特徴とする暖冷房装置の使用方法。
融雪槽本体（１４Ａ）に融雪を所望する雪（ＳＷ）を投入し、蓋（１４Ａ５）を閉める。
上方シャッター部（５）を閉じ、下方シャッター部（６）を開き、赤外線反射カバー部（１１）を閉じ、上向き対流ファン（７）と下向き対流ファン（８）を作動させる。
【発明の詳細な説明】
【０００１】
【発明の属する技術分野】
本発明は、新規な構成を有する暖冷房装置と暖冷房装置の使用方法に関するものである。
詳しくは、太陽光による暖房と地中定温による冷房ができる暖冷房装置に係るものである。
【０００２】
【従来の技術】
従来のこの種のものは、下記のような構成となっている。
太陽熱の利用は無限と云われているが、今現在は限られた利用方法に止まっている。
身近なものでは、建物屋根面に取付けたパネルで熱交換し温水に変え、建物の暖房に使用している例である。
これも温水の温度を一旦、コンクリートに蓄積させ、時間をかけてゆっくり床面より放熱させるものである。
すなわち、屋根面で得た太陽熱を熱交換で温水に変え配管し、主に床下のコンクリート面に通し、コンクリート自体の温度を上げる。これを送風し１階及び２階の居室を温める。
【０００３】
【発明が解決しようとする課題】
従来の技術で述べたものにあっては、下記のような問題点を有していた。
１．コンクリート床面にのみ熱を蓄えるので面積が限られる。
２．送風用の装置及びダクトなどを配置しなければならない。
３．暖房のみの使用に限られる。
【０００４】
本発明は、従来の技術の有するこのような問題点に鑑みなされたものであり、その目的とするところは、上述の問題を解決できるものを提供しようとするものである。
【０００５】
【課題を解決するための手段】
上記目的を達成するために、本発明は下記のようになるものである。
すなわち、
請求項１記載の発明は、住宅などの建築物部２と、住宅などの建築物部２内に配設された暖冷房塔部３から構成され、
暖冷房塔部３は、暖冷房塔部本体４から構成され、暖冷房塔部本体４は、コンクリート、レンガ、コンクリートブロックまたは保温性の良い他の材料で構成された所定高さの角筒状体４Ａと、角筒状体４Ａの上端に連結密閉された逆Ｕ字状の太陽熱を受ける天井体４Ｂから構成され、角筒状体４Ａは下方の地中吸放熱部４Ｃと上方の地上吸放熱部４Ｄに分けられ、下方の地中吸放熱部４Ｃは、地面ＧＬより所定深さをもって地中に植設状態で埋設され、さらに、暖冷房塔部本体４における天井体４Ｂは、住宅などの建築物部２における屋根２Ｇあるいは陸屋根２Ｈより外部に露出するよう構成され、上方の地上吸放熱部４Ｄにおける部屋２Ｄに対応する部屋対応部分４Ｄ１は、当該部屋対応部分の側面は住宅などの建築物部２の部屋２Ｄに露出するよう構成され、天井体４Ｂの表面には赤外線反射カバー部１１が開閉自在に設けられ、暖冷房塔部本体４内には当該暖冷房塔部本体における地上吸放熱部４Ｄ内の温度を一定にするよう構成することで、土中からの一定の温度を暖冷房塔部本体の中に充満させると共に蓄積し、それを壁より室内に放出させ、建物内の夏期の冷房と冬期の暖房に使用することを特徴とするものである。
【０００６】
請求項２記載の発明は、住宅などの建築物部２と、住宅などの建築物部２内に配設された暖冷房塔部３から構成され、
Ａ．住宅などの建築物部２は、基礎や床２Ａなどと外壁２Ｂと間仕切り２Ｃと部屋２Ｄと天井２Ｅと小屋裏２Ｆと屋根２Ｇなどで構成され、
Ｂ．暖冷房塔部３は、暖冷房塔部本体４と上方シャッター部５と下方シャッター部６と上向き対流ファン７と下向き対流ファン８と前方ヒーター９と後方ヒーター１０と赤外線反射カバー部１１と上方ガラスカバー部１２から構成され、
暖冷房塔部本体４は、全体が鉄筋コンクリートでなる前後面４Ａ１、４Ａ１と左右面４Ａ２、４Ａ２を平面左右に横長方形に連結した所定高さの角筒状体４Ａと、角筒状体４Ａの上端に連結密閉された逆Ｕ字状の天井体４Ｂから構成され、角筒状体４Ａは下方の地中吸放熱部４Ｃと上方の地上吸放熱部４Ｄに分けられ、下方の地中吸放熱部４Ｃは、地面ＧＬより所定深さをもって地中に植設状態で埋設され、さらに、暖冷房塔部本体４における天井体４Ｂは、住宅などの建築物部２における屋根２Ｇあるいは陸屋根２Ｈより外部に露出するよう構成され、上方の地上吸放熱部４Ｄにおける部屋２Ｄに対応する部屋対応部分４Ｄ１は、当該部屋対応部分の側面は部屋２Ｄに露出するよう構成され、小屋裏２Ｆに対応する小屋裏対応部分４Ｄ２は、当該小屋裏対応部分の側面は断熱材４Ｄ２１で処理され、
上方シャッター部５は、前方上シャッター５Ａと後方上シャッター５Ｂから構成され、これら前方上シャッター５Ａと後方上シャッター５Ｂは、暖冷房塔部本体４の角筒状体４Ａにおける上端位置に沿って、前後方向に開閉自在の状態で取付けられ、
下方シャッター部６は、前方下シャッター６Ａと後方下シャッター６Ｂから構成され、これら前方下シャッター６Ａと後方下シャッター６Ｂは、暖冷房塔部本体４の角筒状体４Ａにおける地面ＧＬに沿って、前後方向に開閉自在の状態で取付けられ、
上向き対流ファン部７は、角筒状体４Ａの上方の地上吸放熱部４Ｄにおける後面４Ａ１の下方部分に左右方向をもって所定間隔で配設され、
下向き対流ファン部８は、角筒状体４Ａの上方の地上吸放熱部４Ｄにおける前面４Ａ１の上方部分に左右方向をもって所定間隔で配設され、
前方ヒーター９は、角筒状体４Ａの上方の地上吸放熱部４Ｄにおける前面４Ａ１に、上向き対流ファン部７より下方位置に左右方向をもって所定間隔で配設され、
後方ヒーター１０は、角筒状体４Ａの上方の地上吸放熱部４Ｄにおける後面４Ａ１に、上向き対流ファン部７より下方位置に左右方向をもって所定間隔で配設され、
赤外線反射カバー部１１は、赤外線反射シート１１Ｄを開閉自在の状態で天井体４Ｂに対して上方から覆う状態に構成され、
上方ガラスカバー部１２は、赤外線反射カバー部１１を上方から覆うよう構成された逆Ｕ字状のカバー本体１２Ａと、カバー本体の左右端面に張設された側板１２Ｂから構成されていることを特徴とするものである。
【０００７】
請求項３記載の発明は、請求項２記載の発明を用いて下記の工程から暖房を行うよう構成されていることを特徴とするものである。
上方シャッター部５を開き、下方シャッター部６を閉じ、赤外線反射カバー部１１を開き、上向き対流ファン７と下向き対流ファン８を作動させる。
【０００８】
請求項４記載の発明は、請求項２記載の発明を用いて下記の工程から暖房を行うよう構成されていることを特徴とするものである。
上方シャッター部５を開き、下方シャッター部６を閉じ、赤外線反射カバー部１１を開き、上向き対流ファン７と下向き対流ファン８を作動させ、前方ヒーター９と後方ヒーター１０を作動させる。
【０００９】
請求項５記載の発明は、請求項２記載の発明を用いて下記の工程から冷房を行うよう構成されていることを特徴とするものである。
上方シャッター部５を閉じ、下方シャッター部６を開き、赤外線反射カバー部１１を閉じ、上向き対流ファン７と下向き対流ファン８を作動させる。
【００１０】
請求項６記載の発明は、住宅などの建築物部２と、この住宅などの建築物部２内に配設された暖冷房塔部３と融雪槽部１４から構成され、
Ａ．住宅などの建築物部２、暖冷房塔部３、暖冷房塔部本体４、上方シャッター部５、下方シャッター部６、上向き対流ファン７、下向き対流ファン８、前方ヒーター９、後方ヒーター１０、赤外線反射カバー部１１、上方ガラスカバー部１２の各構成は、請求項１記載の発明における住宅などの建築物部２、暖冷房塔部３、暖冷房塔部本体４、上方シャッター部５、下方シャッター部６、上向き対流ファン７、下向き対流ファン８、前方ヒーター９、後方ヒーター１０、赤外線反射カバー部１１、上方ガラスカバー部１２と同一に構成され、
Ｂ．融雪槽部１４は、融雪槽本体１４Ａと、連結横パイプ１４Ｂと、第１対流ファン１４Ｃと、第２対流ファン１４Ｄから構成され、融雪槽本体１４Ａは、底面１４Ａ１と、底面に起立連設された筒状側壁１４Ａ２と、筒状側壁の上面に張設された天板１４Ａ３と、天板に起立連設された筒状の投雪口１４Ａ４と、投雪口に開閉自在に取付けられた蓋１４Ａ５から構成されていると共に、当該融雪槽本体１４Ａは住宅などの建築物部２の近傍に埋設され、
連結横パイプ１４Ｂは、融雪槽本体１４Ａにおける筒状側壁１４Ａ２と、暖冷房塔部本体４における角筒状体４Ａとを連通する状態で配設され、第１対流ファン１４Ｃは、連結横パイプ１４Ｂにおける角筒状体４Ａとの連結箇所に暖冷房塔部本体方向に向け取付けられ、第２対流ファン１４Ｄは、連結横パイプ１４Ｂにおける融雪槽本体１４Ａとの連結箇所に融雪槽本体方向に向け取付けられていることを特徴とするものである。
【００１１】
請求項７記載の発明は、請求項６記載の発明を用いて下記の工程から暖房と融雪を行うよう構成されていることを特徴とするものである。
融雪槽本体１４Ａに融雪を所望する雪ＳＷを投入し、蓋１４Ａ５を閉める。
上方シャッター部５を開き、下方シャッター部６を閉じ、赤外線反射カバー部１１を開き、上向き対流ファン７と下向き対流ファン８を作動させ、前方ヒーター９と後方ヒーター１０を作動させ、第１対流ファン１４Ｃと第２対流ファン１４Ｄを作動させる。
【００１２】
請求項８記載の発明は、請求項６記載の暖冷房装置を用いて下記の工程から冷房を行うよう構成されていることを特徴とするものである。
融雪槽本体１４Ａに融雪を所望する雪ＳＷを投入し、蓋１４Ａ５を閉める。
上方シャッター部５を閉じ、下方シャッター部６を開き、赤外線反射カバー部１１を閉じ、上向き対流ファン７と下向き対流ファン８を作動させる。
【００１３】
【発明の実施の形態】
以下、本発明の実施の形態を実施例にもとづき図面を参照して説明する。
１は第１発明の暖冷房装置で、その構成は、住宅などの建築物部２と、この住宅などの建築物部２内に配設された暖冷房塔部３から構成されている。
【００１４】
Ａ．住宅などの建築物部２は公知のものであるが、基礎や床２Ａなどと外壁２Ｂと間仕切り２Ｃと部屋２Ｄと天井２Ｅと小屋裏２Ｆと屋根２Ｇなどで構成されている。
なお、この住宅などの建築物部２には、図２の如く陸屋根２Ｈの場合もある。
【００１５】
Ｂ．暖冷房塔部３は、暖冷房塔部本体４と、上方シャッター部５と下方シャッター部６と上向き対流ファン７と下向き対流ファン８と前方ヒーター９と後方ヒーター１０と赤外線反射カバー部１１と上方ガラスカバー部１２から構成されている。
ａ．暖冷房塔部本体４は、全体が鉄筋コンクリートでなる前後面４Ａ１、４Ａ１と左右面４Ａ２、４Ａ２を平面左右に横長方形に連結した所定高さの角筒状体４Ａと、角筒状体４Ａの上端に連結密閉された逆Ｕ字状の天井体４Ｂから構成され、角筒状体４Ａは下方の地中吸放熱部４Ｃと上方の地上吸放熱部４Ｄに分けられ、下方の地中吸放熱部４Ｃは、地面ＧＬより所定深さをもって地中に植設状態で埋設されている。
図中、４Ｃ１は角筒状体４Ａの下端に形成された基礎で、４Ｅは地中に開口された角筒状体４Ａの下端開口部である。
さらに、この暖冷房塔部本体４における天井体４Ｂは、住宅などの建築物部２における屋根２Ｇあるいは陸屋根２Ｈより外部に露出するよう構成され、上方の地上吸放熱部４Ｄにおける部屋２Ｄに対応する部屋対応部分４Ｄ１は、当該部屋対応部分の側面は部屋２Ｄに露出するよう構成され、小屋裏２Ｆに対応する小屋裏対応部分４Ｄ２は、当該小屋裏対応部分の側面は断熱材４Ｄ２１で処理されている。
この場合、暖冷房塔部本体を平面的には建物中央に位置せしめると、各室に熱気または冷気を放出することができる。
【００１６】
ｂ．上方シャッター部５は、前方上シャッター５Ａと後方上シャッター５Ｂから構成されている。
ｂ１．前方上シャッター５Ａは、暖冷房塔部本体４の角筒状体４Ａにおける前面４Ａ１の上端位置に沿って、左右方向に所定間隔で配された適数個の蝶番５Ａ１と、この蝶番で起伏自在に支持された断熱性を有するシャッター用板５Ａ２と、シャッター用板と前面４Ａ１との間に設けられた適数個の開閉シリンダ５Ａ３から構成されている。
ｂ２．後方上シャッター５Ｂは、暖冷房塔部本体４の角筒状体４Ａにおける後面４Ａ１の上端位置に沿って、左右方向に所定間隔で配された適数個の蝶番５Ｂ１と、この蝶番で起伏自在に支持された断熱性を有するシャッター用板５Ｂ２と、シャッター用板と後面４Ａ１との間に設けられた適数個の開閉シリンダ５Ｂ３、から構成されている。
ｂ３．前方上シャッター５Ａと後方上シャッター５Ｂは、水平状態になった時に暖冷房塔部本体４の角筒状体４Ａが上下に遮断されることになる。
【００１７】
ｃ．下方シャッター部６は、前方下シャッター６Ａと後方下シャッター６Ｂから構成されている。
ｃ１．前方下シャッター６Ａは、暖冷房塔部本体４の角筒状体４Ａにおける前面４Ａ１の地面ＧＬに沿って、左右方向に所定間隔で配された適数個の蝶番６Ａ１と、この蝶番で起伏自在に支持された断熱性を有するシャッター用板６Ａ２と、シャッター用板と前面４Ａ１との間に設けられた適数個の開閉シリンダ６Ａ３から構成されている。
ｃ２．後方下シャッター６Ｂは、暖冷房塔部本体４の角筒状体４Ａにおける後面４Ａ１の地面ＧＬに沿って、左右方向に所定間隔で配された適数個の蝶番６Ｂ１と、この蝶番で起伏自在に支持された断熱性を有するシャッター用板６Ｂ２と、シャッター用板と後面４Ａ１との間に設けられた適数個の開閉シリンダ６Ｂ３から構成されている。
【００１８】
ｄ．上向き対流ファン部７は、角筒状体４Ａの上方の地上吸放熱部４Ｄにおける後面４Ａ１の下方部分に左右方向をもって所定間隔で配設されている。
ｅ．下向き対流ファン部８は、角筒状体４Ａの上方の地上吸放熱部４Ｄにおける前面４Ａ１の上方部分に左右方向をもって所定間隔で配設されている。
ｆ．前方ヒーター９は、角筒状体４Ａの上方の地上吸放熱部４Ｄにおける前面４Ａ１に、上向き対流ファン部７より下方位置に左右方向をもって所定間隔で配設されている。
ｇ．後方ヒーター１０は、角筒状体４Ａの上方の地上吸放熱部４Ｄにおける後面４Ａ１に、上向き対流ファン部７より下方位置に左右方向をもって所定間隔で配設されている。
【００１９】
ｈ．赤外線反射カバー部１１は、シートガイド１１Ａと前方巻取りローラ１１Ｂと後方巻取りローラ１１Ｃと赤外線反射シート１１Ｄから構成されている。
ｈ１．シートガイド１１Ａは、逆Ｕ字状に構成され、天井体４Ｂを上方から覆う状態で当該天井体の長手方向に対して所定間隔に併設されている。
なお、図示では天井体の両端にシートガイド１１Ａ、１１Ａを併設し、中間に位置すべきシートガイドを省略したものとなっている。
ｈ２．前方巻取りローラ１１Ｂは、シートガイド１１Ａの前方下端位置に前後方向に回転自在に左右方向をもって取付けられている。
１１Ｂ１は前方巻取りローラの端部に取付けた正逆するモーターである。
ｈ３．後方巻取りローラ１１Ｃは、シートガイド１１Ａの後方下端位置に前後方向に回転自在に左右方向をもって取付けられている。
１１Ｃ１は後方巻取りローラの端部に取付けた正逆するモーターである。
ｈ４．赤外線反射シート１１Ｄは、シート単体１１Ｄ１とシート単体の前辺に連結されたひも１１Ｄ２から構成され、シート単体１１Ｄ１の左右辺がシートガイド１１Ａに遊嵌誘導されるよう構成され、シート単体の後端は後方巻取りローラ１１Ｃに連結され、ひも１１Ｄ２の前端は前方巻取りローラ１１Ｂに連結されている。
ｈ５．この結果、シート単体を後方巻取りローラ１１Ｃで巻取ると、天井体４Ｂは露出し、ひも１１Ｄ２を前方巻取りローラ１１Ｂで巻取ると、天井体４Ｂはシート単体で被覆されることになる。
【００２０】
ｉ．上方ガラスカバー部１２は、赤外線反射カバー部１１を上方から覆うよう構成された逆Ｕ字状のカバー本体１２Ａと、カバー本体の左右端面に張設された側板１２Ｂから構成されている。
なお、この上方ガラスカバー部１２は、ペアガラスをもって構成すると好適である。
【００２１】
第２発明は第１発明の暖冷房装置１の使用方法で、下記の各工程から構成されている。
暖房の場合（太陽熱を暖冷房塔部本体内に入れる。）
第１暖房の場合
上方シャッター部５を開き、下方シャッター部６を閉じ、赤外線反射カバー部１１を開き、上向き対流ファン７と下向き対流ファン８を作動させる。
第２暖房の場合（上記第１暖房の場合における操作で充分な暖房効果を得られない場合）
上方シャッター部５を開き、下方シャッター部６を閉じ、赤外線反射カバー部１１を開き、上向き対流ファン７と下向き対流ファン８を作動させ、前方ヒーター９と後方ヒーター１０を作動させる。
この場合、前方ヒーター９と後方ヒーター１０より熱を暖冷房塔部本体内に充満させ、各室に壁を通して放熱させる。
暖房の場合の熱源は、電気、油、温水などで種類は特定しない。
赤外線反射カバー部１１をセンサーで自動的に開け、太陽熱を受けその熱を吸熱によって暖冷房塔部本体内に熱を蓄積する。
それを暖冷房塔部本体の壁を通して放熱によって室内に放出する。
なお、上向き対流ファン７と下向き対流ファン８により暖冷房塔部本体内の温度を早く一定にすることができる。
【００２２】
第３発明は暖冷房装置１の使用方法で、下記の各工程から構成されている。
冷房の場合（土の冷気を暖冷房塔部本体内に入れる。）
上方シャッター部５を閉じ、下方シャッター部６を開き、赤外線反射カバー部１１を閉じ、上向き対流ファン７と下向き対流ファン８を作動させる。
この結果、土中からの１年中一定の温度（冷気）を暖冷房塔部本体の中に充満させると共に蓄積し、それを壁より室内に放出させ、建物内の夏の冷房に使用することができる。
この場合、保温時間の長い壁材で囲むことにより、冷気を長時間にわたって室内に放出させることができる。
なお、上向き対流ファン７と下向き対流ファン８により暖冷房塔部本体内の温度を早く一定にすることができる。
【００２３】
１３は第４発明の暖冷房装置で、その構成は、住宅などの建築物部２と、この住宅などの建築物部２内に配設された暖冷房塔部３と融雪槽部１４から構成されている。
Ａ．住宅などの建築物部２、暖冷房塔部３、暖冷房塔部本体４、上方シャッター部５、下方シャッター部６、上向き対流ファン７、下向き対流ファン８、前方ヒーター９、後方ヒーター１０、赤外線反射カバー部１１、上方ガラスカバー部１２の各構成は、第１発明における住宅などの建築物部２、暖冷房塔部３、暖冷房塔部本体４、上方シャッター部５、下方シャッター部６、上向き対流ファン７、下向き対流ファン８、前方ヒーター９、後方ヒーター１０、赤外線反射カバー部１１、上方ガラスカバー部１２と同一に構成されている。
【００２４】
Ｂ．そこで、図１４、１５を参照して、融雪槽部１４について説明する。
融雪槽本体１４Ａと、連結横パイプ１４Ｂと、第１対流ファン１４Ｃと、第２対流ファン１４Ｄから構成されている。
ａ．融雪槽本体１４Ａは、底面１４Ａ１と、底面に起立連設された筒状側壁１４Ａ２と、筒状側壁の上面に張設された天板１４Ａ３と天板に起立連設された筒状の投雪口１４Ａ４と、投雪口に開閉自在に取付けられた蓋１４Ａ５から構成されていると共に、当該融雪槽本体１４Ａは住宅などの建築物部２の近傍に埋設されている。
ｂ．連結横パイプ１４Ｂは、融雪槽本体１４Ａにおける筒状側壁１４Ａ２と、暖冷房塔部本体４における角筒状体４Ａとを連通する状態で配設されている。
ｃ．第１対流ファン１４Ｃは、連結横パイプ１４Ｂにおける角筒状体４Ａとの連結箇所に暖冷房塔部本体４方向に向け取付けられている。
ｄ．第２対流ファン１４Ｄは、連結横パイプ１４Ｂにおける融雪槽本体１４Ａとの連結箇所に融雪槽本体方向に向け取付けられている。
【００２５】
第５発明は第４発明の暖冷房装置の使用方法で、下記の各工程から構成されている。
融雪槽本体１４Ａに融雪を所望する雪ＳＷを投入し、蓋１４Ａ５を閉める。
上方シャッター部５を開き、下方シャッター部６を閉じ、赤外線反射カバー部１１を開き、上向き対流ファン７と下向き対流ファン８を作動させ、前方ヒーター９と後方ヒーター１０を作動させ、第１対流ファン１４Ｃと第２対流ファン１４Ｄを作動させる。
このようにして、暖房と融雪を行う。
【００２６】
第６発明は第４発明の暖冷房装置の使用方法で、下記の各工程から構成されている。
融雪槽本体１４Ａに融雪を所望する雪ＳＷを投入し、蓋１４Ａ５を閉める。
上方シャッター部５を閉じ、下方シャッター部６を開き、赤外線反射カバー部１１を閉じ、上向き対流ファン７と下向き対流ファン８を作動させる。
このようにして、冷房を行う。
【００２７】
【実施例】
さらに、以下のような条件で実験した結果、極めて良好な結果が得られた。
Ａ．暖冷房塔部本体４は、コンクリート、レンガ、コンクリートブロックまたは保温性の良い他の材料で構成する。
Ｂ．好ましくは、住宅などの建築物部２は、暖冷房塔部３における上方の地上吸放熱部４Ｄの上方に天井体４Ｂを露出すると共に、地上吸放熱部が中心に位置する状態で建築する。
Ｃ．暖冷房塔部本体自体は構造的に自立するものとする。
Ｄ．室内に面する暖冷房塔部本体は仕上げせず直接地肌より放出させる。
【００２８】
【発明の効果】
本発明は、上述の通り構成されているので次に記載する効果を奏する。
１．暖房、冷房とも室の一面から輻射されるので体感として心地よい。
２．発熱、発冷面積が大きいので効率的である。
３．太陽熱、地の冷熱を使用するのでランニングコストは大幅に減る。（ヒーターは補助的なもの）
４．新築時に設置すれば、後はほとんど自然エネルギーで賄うことができ、メンテナンスも不要である。
５．このほか、安価に製造できる、部品点数が少ないので組立が容易である、経済的である、などの効果をも有するものである。
【図面の簡単な説明】
【図１】第１発明の全体の斜視図である。
【図２】陸屋根の場合の斜視図である。
【図３】Ａ−Ａ線断面図である。
【図４】Ｂ−Ｂ線拡大断面図である。
【図５】暖冷房塔部本体を中心に説明する縦断面図である。
【図６】Ｃ−Ｃ線拡大断面図である。
【図７】天井体を中心に見た１部を切欠いた拡大斜視図である。
【図８】同上の縦断面図である。
【図９】暖冷房塔部本体の天井体に対する赤外線反射カバー部と上方ガラスカバー部の関係を説明する分解斜視図である。
【図１０】冬期における使用状態を説明するＢ−Ｂ線断面図である。
【図１１】冬期における使用状態を説明するＣ−Ｃ線断面図である。
【図１２】夏期における使用状態を説明するＢ−Ｂ線断面図である。
【図１３】夏期における使用状態を説明するＣ−Ｃ線断面図である。
【図１４】第４発明、第５発明を説明する縦断面図である。
【図１５】第４発明、第６発明を説明する縦断面図である。
【符号の説明】
１　第１発明の暖冷房装置　　　　　２　住宅などの建築物部
３　暖冷房塔部　　　　　　　　　　４　暖冷房塔部本体
５　上方シャッター部　　　　　　　６　下方シャッター部
７　上向き対流ファン　　　　　　　８　下向き対流ファン
９　前方ヒーター　　　　　　　　　１０　後方ヒーター
１１　赤外線反射カバー部　　　　　１２　上方ガラスカバー部
１３　第４発明の暖冷房装置　　　　１４　融雪槽部
【図１】
2004069271.tif 000003
【図２】
2004069271.tif 000004
【図３】
2004069271.tif 000005
【図４】
2004069271.tif 000006
【図５】
2004069271.tif 000007
【図６】
2004069271.tif 000008
【図７】
2004069271.tif 000009
【図８】
2004069271.tif 000010
【図９】
2004069271.tif 000011
【図１０】
2004069271.tif 000012
【図１１】
2004069271.tif 000013
【図１２】
2004069271.tif 000014
【図１３】
2004069271.tif 000015
【図１４】
2004069271.tif 000016
【図１５】
2004069271.tif 000017